(57)【要約】【課題】本発明はマウスパッドカスタムメイド装置を開示した。【解決手段】本体を含み、前記本体の中にはカスタムメイドチャンバが設置され、前記カスタムメイドチャンバの左壁の中にはプッシュチャンバが設置され、前記プッシュチャンバの中にはプッシュ装置が設置され、前記カスタムメイドチャンバの中には洗浄装置が設置され、前記カスタムメイドチャンバの中にはカスタムメイドブロックが設置され、前記カスタムメイドブロックの中にはスライドチャンバが設置され、前記スライドチャンバの中にはカスタムメイド機構が設置され、前記カスタムメイドチャンバの左壁の中には動力チャンバが設置され、前記動力チャンバの中には動力装置が設置される。【選択図】図１
2020177611.tif 000002
【特許請求の範囲】
【請求項１】
本体を含み、前記本体の中にはカスタムメイドチャンバが設置され、前記カスタムメイドチャンバの左壁の中にはプッシュチャンバが設置され、前記プッシュチャンバの中にはプッシュ装置が設置され、前記カスタムメイドチャンバの中には洗浄装置が設置され、前記カスタムメイドチャンバの中にはカスタムメイドブロックが設置され、前記カスタムメイドブロックの中にはスライドチャンバが設置され、前記スライドチャンバの中にはカスタムメイド機構が設置され、前記カスタムメイドチャンバの左壁の中には動力チャンバが設置され、前記動力チャンバの中には動力装置が設置され、前記動力装置は前記動力チャンバの底壁の中に設置されるメインモータを含み、前記動力チャンバの中には前記メインモータと伝動できるように連結されるメイン軸が設置され、前記動力チャンバの中にある前記メイン軸の外壁にはメイン傘歯車が設置され、前記メイン軸の頂端にはプッシュチャンバの中で回転できるサブ傘歯車が設置され、
前記動力装置が前記洗浄装置を駆動し回転させ、また前記カスタムメイド機構を駆動し快速にスライドさせることができ、マウスパッドに対し改めてカスタムメイドすることを特徴とするマウスパッドカスタムメイド装置。
【請求項２】
前記プッシュ装置は前記プッシュチャンバの中に設置される左軸を含み、前記左軸の左端には前記サブ傘歯車と噛合している上傘歯車が設置され、前記左軸の右端には太陽歯車が設置され、前記カスタムメイドチャンバの中には上軸が設置され、前記上軸の左端にはリングギヤが設置され、前記リングギヤと前記太陽歯車との間には遊星歯車が伝動できるように設置され、前記カスタムメイドチャンバの右壁の中にはベルトチャンバが設置され、前記ベルトチャンバの中にある前記上軸の右端には上プーリーが設置され、前記カスタムメイドチャンバの中には下軸が設置され、前記ベルトチャンバの中にある前記下軸の右端には下プーリーが設置され、前記下プーリーと前記上プーリーとの間には第一ベルトが伝動できるように設置され、前記上軸と前記下軸の外壁にはいずれも均一に分布される九組のプッシュ輪が設置され、
前記プッシュ装置は設備内にマウスパッドを連続的に送り込むことができることを特徴とする請求項１に記載のマウスパッドカスタムメイド装置。
【請求項３】
前記洗浄装置は前記メイン軸の外壁に設置される左歯車を含み、前記カスタムメイドチャンバの中には二つの動力軸が左右に対称的に設置され、前記カスタムメイドチャンバの中には往復ベルトが回転できるように設置され、前記動力軸と前記往復ベルトとが伝動できるように連結され、左側の前記動力軸の頂端には右歯車が設置され、前記カスタムメイドチャンバの中にはスライドロッドがスライドできるように設置され、前記スライドロッドの下端には歯車組が設置され、前記スライドロッドの下端には中継歯車が設置され、前記往復ベルトの前端には上ロッドが設置され、前記往復ベルトの後端には洗浄ブロックが設置され、前記洗浄ブロックの左壁には下ロッドが設置され、前記洗浄ブロックの中には内チャンバが設置され、前記内チャンバの中には洗浄軸が設置され、前記内チャンバの前壁の中には洗浄モータが設置され、前記洗浄軸の外壁にはメイン歯車が設置され、前記洗浄軸の後端には洗浄輪が設置され、前記内チャンバの後壁の中には洗浄溝が設置され、前記洗浄溝の中には風軸が設置され、前記風軸の前端には前記メイン歯車と噛合している従動歯車が設置され、前記風軸の後端にはファンが設置され、前記カスタムメイドチャンバの中には電熱ロッドが設置され、
前記洗浄装置はマウスパッドにある元の図を加熱し洗浄できることを特徴とする請求項１に記載のマウスパッドカスタムメイド装置。
【請求項４】
前記カスタムメイド機構は前記スライドチャンバの中に設置されるスリーブ軸を含み、前記スリーブ軸の外壁には正傘歯車が設置され、前記スリーブ軸の外壁には反傘歯車が設置され、前記スライドチャンバの中には後軸が設置され、前記後軸の頂端には従動傘歯車が設置され、前記後軸の底端にはメインプーリーが設置され、前記スライドチャンバの中には前軸が設置され、前記前軸の頂端には走行歯車が設置され、前記前軸の底端には従動プーリーが設置され、前記従動プーリーと前記メインプーリーとの間には第二ベルトが伝動できるように設置され、前記カスタムメイドチャンバの中には走行ロッドが設置され、前記走行ロッドの底部には前記走行歯車と噛合しているラックが設置され、前記カスタムメイドブロックの前端には前記走行ロッドと係合される四組の荷重輪が対称的に設置され、前記カスタムメイドブロックの後端には印刷ヘッドが設置され、前記カスタムメイドチャンバの中にはスプライン軸が設置され、前記スプライン軸と前記スリーブ軸との間がスプラインにより係合され、前記スプライン軸の左端には下傘歯車が設置され、
前記カスタムメイド機構が改めて図をマウスパッドにスプレー塗装することを特徴とする請求項１に記載のマウスパッドカスタムメイド装置。
【発明の詳細な説明】
【技術分野】
【０００１】
本発明は用品カスタムメイド分野を取り上げて、具体的にはマウスパッドカスタムメイド装置である。
【背景技術】
【０００２】
マウスパッドは欠かせないコンピュータ用品として、多くの人が特別にカスタムメイドされるマウスパッドで自分の個性を見せることが好き、しかし、長時間に同じ図案を見ると、美的疲労が起こりやすくなり、複数回にマウスパッドを購入することは資源の無駄であり、また多くのお金がかかり、従って、本発明はマウスパッドの図を繰り返してカスタムメイドできるマウスパッドカスタムメイド装置を設計する。
【先行技術文献】
【特許文献】
【０００３】
【特許文献１】中国特許出願公開第１０１９４１３２６号明細書
【発明の概要】
【発明が解決しようとする課題】
【０００４】
本発明の目的はマウスパッドカスタムメイド装置を提供し、それは上記の現在の技術中の問題を解決できる。
【課題を解決するための手段】
【０００５】
本発明のマウスパッドカスタムメイド装置は、本体を含み、前記本体の中にはカスタムメイドチャンバが設置され、前記カスタムメイドチャンバの左壁の中にはプッシュチャンバが設置され、前記プッシュチャンバの中にはプッシュ装置が設置され、前記カスタムメイドチャンバの中には洗浄装置が設置され、前記カスタムメイドチャンバの中にはカスタムメイドブロックが設置され、前記カスタムメイドブロックの中にはスライドチャンバが設置され、前記スライドチャンバの中にはカスタムメイド機構が設置され、前記カスタムメイドチャンバの左壁の中には動力チャンバが設置され、前記動力チャンバの中には動力装置が設置され、前記動力装置は前記動力チャンバの底壁の中に設置されるメインモータを含み、前記動力チャンバの中には前記メインモータと伝動できるように連結されるメイン軸が設置され、前記動力チャンバの中にある前記メイン軸の外壁にはメイン傘歯車が設置され、前記メイン軸の頂端にはプッシュチャンバの中で回転できるサブ傘歯車が設置され、
前記動力装置が前記洗浄装置を駆動し回転させ、また前記カスタムメイド機構を駆動し快速にスライドさせることができ、マウスパッドに対し改めてカスタムメイドする。
【０００６】
優選的には、前記プッシュ装置は前記プッシュチャンバの中に設置される左軸を含み、前記左軸の左端には前記サブ傘歯車と噛合している上傘歯車が設置され、前記左軸の右端には太陽歯車が設置され、前記カスタムメイドチャンバの中には上軸が設置され、前記上軸の左端にはリングギヤが設置され、前記リングギヤと前記太陽歯車との間には遊星歯車が伝動できるように設置され、前記カスタムメイドチャンバの右壁の中にはベルトチャンバが設置され、前記ベルトチャンバの中にある前記上軸の右端には上プーリーが設置され、前記カスタムメイドチャンバの中には下軸が設置され、前記ベルトチャンバの中にある前記下軸の右端には下プーリーが設置され、前記下プーリーと前記上プーリーとの間には第一ベルトが伝動できるように設置され、前記上軸と前記下軸の外壁にはいずれも均一に分布される九組のプッシュ輪が設置され、
前記プッシュ装置は設備内にマウスパッドを連続的に送り込むことができる。
【０００７】
優選的には、前記洗浄装置は前記メイン軸の外壁に設置される左歯車を含み、前記カスタムメイドチャンバの中には二つの動力軸が左右に対称的に設置され、前記カスタムメイドチャンバの中には往復ベルトが回転できるように設置され、前記動力軸と前記往復ベルトとが伝動できるように連結され、左側の前記動力軸の頂端には右歯車が設置され、前記カスタムメイドチャンバの中にはスライドロッドがスライドできるように設置され、前記スライドロッドの下端には歯車組が設置され、前記スライドロッドの下端には中継歯車が設置され、前記往復ベルトの前端には上ロッドが設置され、前記往復ベルトの後端には洗浄ブロックが設置され、前記洗浄ブロックの左壁には下ロッドが設置され、前記洗浄ブロックの中には内チャンバが設置され、前記内チャンバの中には洗浄軸が設置され、前記内チャンバの前壁の中には洗浄モータが設置され、前記洗浄軸の外壁にはメイン歯車が設置され、前記洗浄軸の後端には洗浄輪が設置され、前記内チャンバの後壁の中には洗浄溝が設置され、前記洗浄溝の中には風軸が設置され、前記風軸の前端には前記メイン歯車と噛合している従動歯車が設置され、前記風軸の後端にはファンが設置され、前記カスタムメイドチャンバの中には電熱ロッドが設置され、
前記洗浄装置はマウスパッドにある元の図を加熱し洗浄できる。
【０００８】
優選的には、前記カスタムメイド機構は前記スライドチャンバの中に設置されるスリーブ軸を含み、前記スリーブ軸の外壁には正傘歯車が設置され、前記スリーブ軸の外壁には反傘歯車が設置され、前記スライドチャンバの中には後軸が設置され、前記後軸の頂端には従動傘歯車が設置され、前記後軸の底端にはメインプーリーが設置され、前記スライドチャンバの中には前軸が設置され、前記前軸の頂端には走行歯車が設置され、前記前軸の底端には従動プーリーが設置され、前記従動プーリーと前記メインプーリーとの間には第二ベルトが伝動できるように設置され、前記カスタムメイドチャンバの中には走行ロッドが設置され、前記走行ロッドの底部には前記走行歯車と噛合しているラックが設置され、前記カスタムメイドブロックの前端には前記走行ロッドと係合される四組の荷重輪が対称的に設置され、前記カスタムメイドブロックの後端には印刷ヘッドが設置され、前記カスタムメイドチャンバの中にはスプライン軸が設置され、前記スプライン軸と前記スリーブ軸との間がスプラインにより係合され、前記スプライン軸の左端には下傘歯車が設置され、
前記カスタムメイド機構が改めて図をマウスパッドにスプレー塗装する。
【発明の効果】
【０００９】
本発明の有益的な効果は：本発明は構造が簡単で、操作が便利で、メンテナンスが便利であり、本発明設備が自動的にマウスパッドの図を洗浄でき、そして快速に改めてカスタムメイドし、ユーザーの個性を見せ、また複数回に購入することによる資源の無駄を避け、従って、本発明設備は高い使用と普及価値がある。
【図面の簡単な説明】
【００１０】
本発明の実施例また既存の技術の中の技術方案をもっとはっきり説明するため、下記に実施例また既存の技術の説明の中に使用する必要がある附図に簡単な紹介を行う。
【００１１】
【図１】図１は本発明のマウスパッドカスタムメイド装置の全体構造概略図
【図２】図２は図１のＡ−Ａの構造概略図
【図３】図３は図１のＢ−Ｂの構造概略図
【発明を実施するための形態】
【００１２】
下記に図をあわせて本発明について詳しく説明し、便利に説明するために、下記の方向を以下のように規定する：以下に述べる上下左右前後の方向と図１の自身投影関係の上下左右前後の方向とが一致である。
【００１３】
図１−３に示すように、本発明のマウスパッドカスタムメイド装置は、本体６１を含み、前記本体６１の中にはカスタムメイドチャンバ６０が設置され、前記カスタムメイドチャンバ６０の左壁の中にはプッシュチャンバ１１が設置され、前記プッシュチャンバ１１の中にはプッシュ装置１００が設置され、前記カスタムメイドチャンバ６０の中には洗浄装置２００が設置され、前記カスタムメイドチャンバ６０の中にはカスタムメイドブロック２２が設置され、前記カスタムメイドブロック２２の中にはスライドチャンバ３０が設置され、前記スライドチャンバ３０の中にはカスタムメイド機構３００が設置され、前記カスタムメイドチャンバ６０の左壁の中には動力チャンバ２１が設置され、前記動力チャンバ２１の中には動力装置４００が設置され、前記動力装置４００は前記動力チャンバ２１の底壁の中に設置されるメインモータ２５を含み、前記動力チャンバ２１の中には前記メインモータ２５と伝動できるように連結されるメイン軸１５が設置され、前記動力チャンバ２１の中にある前記メイン軸１５の外壁にはメイン傘歯車２４が設置され、前記メイン軸１５の頂端にはプッシュチャンバ１１の中で回転できるサブ傘歯車１４が設置され、
前記動力装置４００が前記洗浄装置２００を駆動し回転させ、また前記カスタムメイド機構３００を駆動し快速にスライドさせることができ、マウスパッドに対し改めてカスタムメイドする。
【００１４】
有益的には、前記プッシュ装置１００は前記プッシュチャンバ１１の中に設置される左軸１３を含み、前記左軸１３の左端には前記サブ傘歯車１４と噛合している上傘歯車１２が設置され、前記左軸１３の右端には太陽歯車４２が設置され、前記カスタムメイドチャンバ６０の中には上軸４０が設置され、前記上軸４０の左端にはリングギヤ４１が設置され、前記リングギヤ４１と前記太陽歯車４２との間には遊星歯車４３が伝動できるように設置され、前記カスタムメイドチャンバ６０の右壁の中にはベルトチャンバ３６が設置され、前記ベルトチャンバ３６の中にある前記上軸４０の右端には上プーリー３９が設置され、前記カスタムメイドチャンバ６０の中には下軸３２が設置され、前記ベルトチャンバ３６の中にある前記下軸３２の右端には下プーリー３４が設置され、前記下プーリー３４と前記上プーリー３９との間には第一ベルト３５が伝動できるように設置され、前記上軸４０と前記下軸３２の外壁にはいずれも均一に分布される九組のプッシュ輪３３が設置され、
前記プッシュ装置１００は設備内にマウスパッドを連続的に送り込むことができる。
【００１５】
有益的には、前記洗浄装置２００は前記メイン軸１５の外壁に設置される左歯車１７を含み、前記カスタムメイドチャンバ６０の中には二つの動力軸１８が左右に対称的に設置され、前記カスタムメイドチャンバ６０の中には往復ベルト１９が回転できるように設置され、前記動力軸１８と前記往復ベルト１９とが伝動できるように連結され、左側の前記動力軸１８の頂端には右歯車１６が設置され、前記カスタムメイドチャンバ６０の中にはスライドロッド４５がスライドできるように設置され、前記スライドロッド４５の下端には歯車組４４が設置され、前記スライドロッド４５の下端には中継歯車４６が設置され、前記往復ベルト１９の前端には上ロッド５９が設置され、前記往復ベルト１９の後端には洗浄ブロック２０が設置され、前記洗浄ブロック２０の左壁には下ロッド４７が設置され、前記洗浄ブロック２０の中には内チャンバ５７が設置され、前記内チャンバ５７の中には洗浄軸５５が設置され、前記内チャンバ５７の前壁の中には洗浄モータ４９が設置され、前記洗浄軸５５の外壁にはメイン歯車５６が設置され、前記洗浄軸５５の後端には洗浄輪５４が設置され、前記内チャンバ５７の後壁の中には洗浄溝５３が設置され、前記洗浄溝５３の中には風軸５１が設置され、前記風軸５１の前端には前記メイン歯車５６と噛合している従動歯車５０が設置され、前記風軸５１の後端にはファン５２が設置され、前記カスタムメイドチャンバ６０の中には電熱ロッド３８が設置され、
前記洗浄装置２００はマウスパッドにある元の図を加熱し洗浄できる。
【００１６】
有益的には、前記カスタムメイド機構３００は前記スライドチャンバ３０の中に設置されるスリーブ軸２６を含み、前記スリーブ軸２６の外壁には正傘歯車２７が設置され、前記スリーブ軸２６の外壁には反傘歯車３１が設置され、前記スライドチャンバ３０の中には後軸２９が設置され、前記後軸２９の頂端には従動傘歯車２８が設置され、前記後軸２９の底端にはメインプーリー６９が設置され、前記スライドチャンバ３０の中には前軸６６が設置され、前記前軸６６の頂端には走行歯車６７が設置され、前記前軸６６の底端には従動プーリー６５が設置され、前記従動プーリー６５と前記メインプーリー６９との間には第二ベルト６８が伝動できるように設置され、前記カスタムメイドチャンバ６０の中には走行ロッド６２が設置され、前記走行ロッド６２の底部には前記走行歯車と噛合しているラック６４が設置され、前記カスタムメイドブロック２２の前端には前記走行ロッド６２と係合される四組の荷重輪６３が対称的に設置され、前記カスタムメイドブロック２２の後端には印刷ヘッド７０が設置され、前記カスタムメイドチャンバ６０の中にはスプライン軸３７が設置され、前記スプライン軸３７と前記スリーブ軸２６との間がスプラインにより係合され、前記スプライン軸３７の左端には下傘歯車２３が設置され、
前記カスタムメイド機構３００が改めて図をマウスパッドにスプレー塗装する。
【００１７】
初期状態では、カスタムメイドブロック２２が最大限にカスタムメイドチャンバ６０の左端に位置している。
【００１８】
本発明設備を使用するとき、メインモータ２５が始動しメイン軸１５によりメイン傘歯車２４と、左歯車１７と、サブ傘歯車１４とを回転連動させ、サブ傘歯車１４が上傘歯車１２と、左軸１３と、太陽歯車４２と、遊星歯車４３と、リングギヤ４１と、上軸４０と、上プーリー３９と、下プーリー３４と、下軸３２とによりプッシュ輪３３を回転連動させ、マウスパッドを設備の中に送り、同時に、電熱ロッド３８が通電されマウスパッドを加熱し、下ロッド４７（上ロッド５９）がスライドロッド４５と係合され、それによりスライドロッド４５を上（下）にスライド連動させ、それにより中継歯車４６（歯車組４４）が左歯車１７と右歯車１６と噛合し、左歯車１７が中継歯車４６（歯車組４４）と、右歯車１６と、動力軸１８により往復ベルト１９を正方向（逆方向）に回転連動させ、それにより洗浄ブロック２０を右（左）にスライド連動させ、同時に、洗浄モータ４９が始動し洗浄軸５５により洗浄輪５４を回転連動させ、同時に、洗浄軸５５がメイン歯車５６と、従動歯車５０と、風軸５１によりファン５２を回転連動させ、マウスパッドにある元の図を洗浄し、同時に、スリーブ軸２６の左端面とカスタムメイドブロック２２の左端面とが重なり（スリーブ軸２６の右端面とカスタムメイドブロック２２の右端面とが重なり）、それによりスリーブ軸２６を右（左）にスライド連動させ、正傘歯車２７（反傘歯車３１）が従動傘歯車２８と噛合し、メイン傘歯車２４が下傘歯車２３と、スプライン軸３７と、スリーブ軸２６と、正傘歯車２７（反傘歯車３１）と、従動傘歯車２８と、後軸２９と、メインプーリー６９と、従動プーリー６５と、前軸６６と、走行歯車６７と、ラック６４と、カスタムメイドブロック２２により印刷ヘッド７０を右（左）にスライド連動させ、マウスパッドに対し図を改めてカスタムメイドする。
【００１９】
本発明の有益的な効果は：本発明は構造が簡単で、操作が便利で、メンテナンスが便利であり、本発明設備が自動的にマウスパッドの図を洗浄でき、そして快速に改めてカスタムメイドし、ユーザーの個性を見せ、また複数回に購入することによる資源の無駄を避け、従って、本発明設備は高い使用と普及価値がある。
【００２０】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020177611.tif 000003
【図２】
2020177611.tif 000004
【図３】
2020177611.tif 000005